(57)【要約】【課題】  機械的強度を高めると共に文字板の位置ズレを防止した表示パネルの見返し、および当該見返しを備えた表示パネルを提供する。【解決手段】  各種情報を表示するための複数の表示部１７ａが設けられた文字板１７の表面に配置され、表示部１７ａを露出させるように形成された表示パネル１００の見返し１９は、文字板１７の表示部１７ａを除く領域に設けられた長穴２７を貫通して文字板１７の裏面側に突出するリブ２２を有している。【選択図】        図３
2006162383.tif 000002
【特許請求の範囲】
【請求項１】
各種情報を表示するための複数の表示部が設けられた文字板の表面に配置され、当該表示部を露出させるように形成された表示パネルの見返しであって、
前記文字板の前記表示部を除く領域に設けられた貫通穴を貫通して当該文字板の裏面側に突出するリブを有していることを特徴とする見返し。
【請求項２】
請求項１に記載の見返しにおいて、
当該見返しが、前記文字板の前記表示部の周囲を囲む枠材を備えており、
前記リブが、前記枠材に設けられていることを特徴とする見返し。
【請求項３】
請求項２に記載の見返しにおいて、
前記リブが、前記枠材の長手方向に沿って設けられていることを特徴とする見返し。
【請求項４】
各種情報を表示するための複数の表示部を有し且つ、当該表示部を除く領域に貫通穴が形成された文字板と、
前記文字板の裏面側に配置され、当該文字板を支持するケースと、
前記文字板の表面に配置され、前記文字板の前記表示部を露出させるように形成された見返しと、
を備え、
前記見返しが請求項１〜請求項３のいずれかに記載の見返しであり、
前記ケースが、前記文字板の前記貫通穴を貫通して当該文字板の裏面側に突出した前記見返しの前記リブを収容する凹部を有することを特徴とする表示パネル。
【発明の詳細な説明】
【技術分野】
【０００１】
本発明は、表示パネルの見返し、および当該見返しを備えた表示パネルに関し、より詳細には、機械的強度の向上を図った表示パネルの見返し、および当該見返しを備えた表示パネルに関する。
【背景技術】
【０００２】
自動車などの車両には、車両の走行速度、エンジンの回転数、エンジン冷却水の温度、燃料の残量、各種警告、などの車両の状態に係る各種情報を表示して当該情報を車両の運転者に伝達するための表示パネルが装備されている。
【０００３】
このような表示パネルとしては、例えば走行速度やエンジン回転数の指標となる目盛、車両の累積走行距離などを表示する液晶表示装置の表示面を露出させる窓、等の表示部を形成された文字板と、前記文字板の裏面側に配置されて文字板を支持し、前記液晶表示装置や文字板の前記指標を指示する指針を駆動するためのムーブメントなどを収容するケースと、前記文字板の表面側に配置されて前記ケースに組み付けられ、文字板の表示部を除く領域（以下、非表示部とする。）を覆って運転者等の視点からの見栄えをよくする見返しと、を備えたものが知られている。（例えば、特許文献１参照。）。
【０００４】
近年、車両の高機能化に伴って、車両の状態に係る情報の種類は増加する傾向にあり、多数の情報が表示パネルに密集して表示されるようになっている。そこで、表示パネルの文字板の表面上に配置された見返しにより、文字板の非表示部を覆って文字板を見易くすると共に、例えば情報の種類ごとに区分けするように表示部の周囲を個々に囲んで運転者等が容易に各種情報を識別できるように配慮されている。
【０００５】
このような構成の見返し１においては、一般に、図５に示されるように、表示部の周囲を囲むための枠材１ａが設けられている。この枠材１ａは、文字板２の表面に形成された目盛などの表示部２ａの周囲を囲むように文字板２の表面に載置されている。
【特許文献１】特開２００１−５９７４１号公報（第４−７頁、図８）
【発明の開示】
【発明が解決しようとする課題】
【０００６】
しかしながら、多数の情報が密集して表示される表示パネルにおいては文字板２に多数の表示部２ａが形成されており、これらの表示部２ａを露出させるように形成される見返し１は、その機械的強度が低下する傾向にある。特に、複数の表示部２ａを区分けするように隣り合う表示部２ａの間に配設されて表示部２ａを個々に囲む枠材１ａにおいては、文字板２の意匠を損なわないようにするために配設スペースが制約され、結果、枠材１ａは、その長さに対して幅が狭い帯状となり、機械的強度が低いものであった。このため、見返し１の成形時に枠材１ａに反りやヒケなどが発生するなど、見返し１が変形する虞があった。
また、文字板２は、上述の通りケース３に支持されているのみで見返し１とは係合しておらず、車両の走行に伴う振動等により見返し１に対して位置ズレを生じる虞があった。
そして、見返し１が変形し、もしくは、文字板２が見返し１に対して位置ズレした場合に、例えば枠材１ａが表示部２ａの一部に重なるなどして文字板２の意匠を損ない、商品価値が低下する虞があった。
【０００７】
本発明は、上述した課題に鑑みてなされたものであり、その目的は、機械的強度を高めると共に文字板の位置ズレを防止した表示パネルの見返し、および当該見返しを備えた表示パネルを提供することにある。
【課題を解決するための手段】
【０００８】
上述した目的を達成するために、本発明に係る表示パネルの見返しは、下記（１）〜（３）を特徴としている。
【０００９】
（１）  各種情報を表示するための複数の表示部が設けられた文字板の表面に配置され、当該表示部を露出させるように形成された表示パネルの見返しであって、前記文字板の前記表示部を除く領域に設けられた貫通穴を貫通して当該文字板の裏面側に突出するリブを有していることを。
（２）上記（１）に記載の見返しにおいて、当該見返しが、前記文字板の前記表示部の周囲を囲む枠材を備えており、前記リブが、前記枠材に設けられていること。
（３）上記（２）に記載の見返しにおいて、前記リブが、前記枠材の長手方向に沿って設けられていること。
【００１０】
上記（１）に記載の見返しによれば、リブは、文字板の表示部を除く領域に設けられた貫通穴を貫通して文字板の裏面側に突出するように形成されている。即ち、このリブは、文字板によって高さの制約を受けることなく、文字板の裏面側にまで突出する高さを有するので、見返しの機械的強度が大幅に向上し、これにより、見返しの変形が防止される。そして、このリブは、文字板の貫通穴を貫通して文字板と係合しているので、見返しに対する文字板の位置ズレが防止される。
【００１１】
上記（２）に記載の見返しによれば、表示部の周囲を囲む枠材が設けられており、複数の表示部が区分けされることにより、複数の表示部に表示される各種情報が識別し易くなる。そして、特に機械的強度が低いものとなる枠材は、リブが設けられて補強されており、これにより、見返しの成形時に枠材に反りやヒケが発生することが防止される。
【００１２】
上記（３）に記載の見返しによれば、リブが枠材の長手方向に沿って設けられており、これにより、枠材の変形が一層確実に防止される。
【００１３】
また、本発明に係る表示パネルは、下記（４）を特徴としている。
【００１４】
（４）  各種情報を表示するための複数の表示部を有し且つ、当該表示部を除く領域に貫通穴が形成された文字板と、前記文字板の裏面側に配置され、当該文字板を支持するケースと、前記文字板の表面に配置され、前記文字板の前記表示部を露出させるように形成された見返しと、を備え、前記見返しが上記（１）〜（３）のいずれかに記載の見返しであり、前記ケースが、前記文字板の前記貫通穴を貫通して当該文字板の裏面側に突出した前記見返しの前記リブを収容する凹部を有すること。
【００１５】
上記（４）に記載の表示パネルによれば、文字板の裏面側に配置されて文字板を支持するケースに、文字板の貫通穴を貫通して文字板の裏面側に突出した見返しのリブを収容する凹部が形成されている。これにより、リブをさらに高く形成することができ、見返しの機械的強度をさらに向上させることができる。また、リブとケースとの干渉を回避するためにケースにリブが挿通される穴を設ける場合に比べてケースの機械的強度を向上させることができる。
【発明の効果】
【００１６】
本発明によれば、見返しの機械的強度を高めると共に見返しに対する文字板の位置ズレを防止することができ、これにより、表示パネルの商品価値を高めることができる。
【００１７】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１８】
以下、本発明に係る好適な実施形態を図面に基づいて詳細に説明する。
【００１９】
図１は本発明の一実施形態である表示パネルの分解斜視図、図２は図１に示す見返しの正面図、図３は図１に示す見返し、文字板、およびケースの要部拡大図であって各部材が組み付けられる前の状態の分解斜視図、図４は図３に示す見返し、文字板、およびケースが組み付けられた状態の要部拡大斜視図である。
【００２０】
先ず、図１を参照して表示パネル１００の概略構成を説明する。
表示パネル１００は、文字板１７と、文字板１７の裏面側に配置されるケース１５と、ケース１５の裏面側（文字板１７とは反対側）に配置される裏カバー１１と、ケース１５と裏カバー１１との間に収容されるプリント基板１３と、文字板１７の表面側に配置される見返し１９と、見返し１９の表面側（文字板１７とは反対側であって運転者側）に配置される透明カバー１８と、を備えている。
【００２１】
文字板１７は、各種情報を表示するための複数の表示部１７ａを有している。これらの表示部１７ａとしては、例えば、文字板１７の表面に形成された車両速度表示用目盛、エンジン回転数表示用目盛、燃料残量表示用目盛、冷却水温度表示用目盛などの目盛、シフトポジションおよび各種ウォーニングを表示するための文字あるいは記号、車両の累積走行距離などを表示する液晶表示装置の表示面を露出させる窓、等が挙げられる。尚、シフトポジションおよび各種ウォーニングを表示するための文字あるいは記号部分は透光性とされており、裏面側から照明されることにより光輝する。
【００２２】
ケース１５は、例えば合成樹脂から形成されており、文字板１７が載置されて文字板１７の裏面を支持する支持台１５ａと、支持台１５ａの外周縁に立設された周壁１５ｂと、を有している。支持台１５ａの外形は文字板１７と略同一形状に形成されており、その外周縁部には文字板１７の外周縁部に係合する複数の係合凸部１５ｃが設けられている。これらの係合凸部１５ｃにより、文字板１７のケース１５に対する位置決めがなされる。
【００２３】
プリント基板１３には、文字板１７の車両速度表示用目盛およびエンジン回転数表示用目盛などの目盛を指示するための指針を駆動するムーブメント、文字板１７のシフトポジションおよび各種ウォーニングを表示するための文字あるいは記号を裏面側から照明する光源であるＬＥＤ、上記液晶表示装置、等が実装されている。
【００２４】
裏カバー１１は、例えば合成樹脂から形成されており、ケース１５の周壁１５ｂに係止されてケース１５に組み付けられる。ケース１５と裏カバー１１との間にはプリント基板１３を収容する収容空間が画成される。
【００２５】
見返し１９は、例えば合成樹脂から形成されており、ケース１５の周壁１５ｂに係止されてケース１５に組み付けられる。
【００２６】
透明カバー１８は、例えば透明な合成樹脂から形成されており、文字板１７および見返し１９を覆って、表示パネル１００内へ埃等が進入しないようにする。
【００２７】
次に、図２を参照して見返し１９を詳細に説明する。
見返し１９は、文字板１７の表面に載置されて当該文字板１７の非表示部を覆う遮蔽部２０および枠材２１を一体に有し、文字板１７の上記複数の表示部１７ａを運転者に対して露出させるように、遮蔽部２０および枠材２１により区分けされて貫通穴として形成された複数の窓２３が設けられている。
【００２８】
これら複数の窓２３のうち、窓２３ａは、例えば上記車両速度表示用目盛を露出させるスピードメータ露出窓であり、窓２３ｂは、例えば上記エンジン回転数表示用目盛を露出させるタコメータ露出窓であって、いずれも平面視円形状に画成されている。車両の運転時に重要度の高い車両走行速度やエンジン回転数を表示するためのスピードメータ露出窓２３ａ、および、タコメータ露出窓２３ｂは、運転者が特に視認し易いように、他の窓２３に比べて大きく形成されており、その周縁部は装飾も兼ねて円環状の枠材２１により囲まれている。
【００２９】
枠材２１を挟んでスピードメータ露出窓２３ａに隣接している窓２３ｃは、例えば上記燃料残量表示用目盛を露出させるガソリンメータ露出窓であって、当該ガソリンメータ露出窓２３ｃを画成している窓２３ａ側の側縁部は、窓２３ａを囲む円環状の枠材２１の円弧部分２１ａであって、即ち、スピードメータ露出窓２３ａとガソリンメータ露出窓２３ｃとは円弧部分２１ａにより区分けされており、円弧部分２１ａは互いに隣接するスピードメータ露出窓２３ａとガソリンメータ露出窓２３ｃとの間に配設されている。
【００３０】
また、タコメータ露出窓２３ｂに隣接している窓２３ｄは、例えば上記冷却水温度表示用目盛を露出させ、また、スピードメータ露出窓２３ａとタコメータ露出窓２３ｂとの間に設けられている窓２３ｅは、例えば上記シフトポジション表示用文字を露出させ、また、スピードメータ露出窓２３ａとタコメータ露出窓２３ｂとの間に設けられている窓２３ｆは、例えば上記各種ウォーニング表示用記号を露出させ、また、窓２３ｇは、例えば上記液晶表示装置の表示面を露出させる。
【００３１】
上述のように、見返し１９には複数の窓２３が密集して設けられており、互いに隣接するスピードメータ露出窓２３ａとガソリンメータ露出窓２３ｃとを区分けするように、スピードメータ露出窓２３ａとガソリンメータ露出窓２３ｃとの間に配置された枠材２１の円弧部分２１ａは、その長さＬに対して幅Ｗが狭い帯状となっている。
【００３２】
本実施形態においては、図３および図４に示すように、窓２３ａを囲む枠材２１の帯状の円弧部分２１ａには、当該円弧部分２１ａを補強するように、その裏面（文字板１７に対面する面）から文字板１７に向けて突出するリブ２２が、当該円弧部分２１ａの長手方向（換言すれば、円周方向）に沿って設けられている。尚、図示は省略するが、図２に示す窓２３ｂを囲む枠材２１の窓２３ｂと窓２３ｄとの間に配設された円弧部分２１ａ、窓２３ａを囲む枠材２１の窓２３ａと窓２３ｅおよび窓２３ｇとの間に配設された円弧部分２１ｂ，２１ｃ、および、窓２３ｂを囲む枠材２１の窓２３ｂと窓２３ｅおよび窓２３ｇとの間に配設された円弧部分２１ｂ，２１ｃにも、同様にリブ２２が設けられている。以下、代表的に、窓２３ａを囲む枠材２１の帯状の円弧部分２１ａおよびその周辺部分について説明する。
【００３３】
窓２３ａを囲む枠材２１の円弧部分２１ａにより覆われる文字板１７の領域には、文字板１７を貫通する円弧状の長穴２７が設けられている。見返し１９が文字板１７の表面に配置された際には、リブ２２が、この長穴２７を貫通して文字板１７の裏面側に突出するようになっている。
【００３４】
そして、文字板１７を載置されて文字板１７の裏面を支持するケース１５の支持台１５ａは、長穴２７によって露出する部分に、文字板１７から離間する方向に凹設されてなる凹部２５を有している。
【００３５】
ケース１５の支持台１５ａに文字板１７が載置され、見返し１９が文字板１７の表面に配置されてケース１５に組み付けられた際には、リブ２２は、文字板１７の長穴２７を貫通して文字板１７の裏面側に突出し、ケース１５の凹部２５に収容される。また、文字板１７の複数の表示部１７ａは、見返し１９の対応する窓２３から運転者に対して露出し、文字板１７の非表示部は遮蔽部２０および枠材２１により覆われる。
【００３６】
以上説明したように、本実施形態の表示パネル１００によれば、リブ２２は、文字板１７の表示部１７ａを除く領域に設けられた長穴２７を貫通して文字板１７の裏面側に突出するように形成されている。即ち、このリブ２２は、文字板１７によって高さの制約を受けることなく、文字板１７の裏面側にまで突出する高さを有するので、見返し１９の機械的強度が大幅に向上し、これにより、見返し１９の変形を防止することができる。そして、このリブ２２は、文字板１７の長穴２７を貫通して文字板１７と係合しているので、見返し１９に対する文字板１７の位置ズレを防止することができる。
【００３７】
そして、見返し１９には、文字板１７の表示部１７ａの周囲を囲む枠材２１が設けられており、複数の表示部１７ａが区分けされることにより、複数の表示部１７ａに表示される各種情報を識別し易くすることができる。そして、特に機械的強度が低いものとなる枠材２１は、リブ２２が設けられて補強されており、これにより、見返し１９の成形時に枠材２１に反りやヒケが発生することを防止することができる。
【００３８】
そして、リブ２２が枠材２１の長手方向に沿って設けられており、これにより、枠材２１の変形を一層確実に防止することができる。
【００３９】
さらに、文字板１７の裏面側に配置されて文字板１７を支持するケース１５に、文字板１７の長穴２７を貫通して文字板１７の裏面側に突出した見返し１９のリブ２２を収容する凹部２５が形成されている。これにより、リブ２２をさらに高く形成することができ、見返し１９の機械的強度をさらに向上させることができる。また、リブ２２とケース１５との干渉を回避するためにケース１５にリブ２２が挿通される穴を設ける場合に比べてケース１５の機械的強度を向上させることができる。
【００４０】
尚、本発明は、叙述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００４１】
例えば、リブ２２は、文字板１７の表示部１７ａの周囲を囲む枠材２１に設けるものとして説明したが、見返し１９の機械的強度を強化したい任意の部分に設けることができ、同様の効果を奏する。
【図面の簡単な説明】
【００４２】
【図１】本発明の一実施形態である表示パネルの分解斜視図である。
【図２】図１に示す見返しの正面図である。
【図３】図１に示す見返し、文字板、およびケースの要部拡大図であって各部材が組み付けられる前の状態の分解斜視図である。
【図４】図３に示す見返し、文字板、およびケースが組み付けられた状態の要部拡大斜視図である。
【図５】従来例に係り、見返し、文字板、およびケースが組み付けられた状態の要部拡大斜視図である。
【符号の説明】
【００４３】
１００      表示パネル
１５        ケース
１７        文字板
１７ａ      表示部
１９        見返し
２０        遮蔽部
２１        枠材
２２        リブ
２３        窓
２５        凹部
２７        長穴（貫通穴）
【図１】
2006162383.tif 000003
【図２】
2006162383.tif 000004
【図３】
2006162383.tif 000005
【図４】
2006162383.tif 000006
【図５】
2006162383.tif 000007